(57)【要約】【課題】本発明は照明システムに関し、照明器具の周囲の温度を検出できる照明システムを得ることを目的とする。【解決手段】本発明に係る照明システムは、光源と、該光源を点灯させる点灯装置と、該光源と該点灯装置を収納する筐体と、該筐体の外側に設けられた温度センサを有し、該温度センサの検出温度に応じて該点灯装置または外部機器を制御する温度検知ユニットと、を備える。【選択図】図１
2019216075.tif 000002
【特許請求の範囲】
【請求項１】
光源と、
前記光源を点灯させる点灯装置と、
前記光源と前記点灯装置を収納する筐体と、
前記筐体の外側に設けられた温度センサを有し、前記温度センサの検出温度に応じて前記点灯装置または外部機器を制御する温度検知ユニットと、
を備えることを特徴とする照明システム。
【請求項２】
温度検知ユニットは、前記点灯装置から給電され動作することを特徴とする請求項１に記載の照明システム。
【請求項３】
前記温度検知ユニットは、前記筐体の外壁に取り付けられることを特徴とする請求項１または２に記載の照明システム。
【請求項４】
前記温度検知ユニットは、前記検出温度に応じて前記光源の調光率を制御することを特徴とする請求項１から３の何れか１項に記載の照明システム。
【請求項５】
前記光源を放熱させる送風機を備え、
前記温度検知ユニットは、前記検出温度に応じて前記送風機の回転速度を制御することを特徴とする請求項１から４の何れか１項に記載の照明システム。
【請求項６】
前記光源を放熱させる複数の送風機を備え、
前記温度検知ユニットは、前記検出温度に応じて前記複数の送風機の稼働数を制御することを特徴とする請求項１から５の何れか１項に記載の照明システム。
【請求項７】
焦電センサを有し、前記焦電センサの検出信号に応じて前記点灯装置を制御するセンサユニットを備え、
前記温度検知ユニットは、前記検出温度に応じて前記焦電センサの感度を変更することを特徴とする請求項１から６の何れか１項に記載の照明システム。
【請求項８】
前記温度検知ユニットは、前記検出温度が人の体温に近いほど、前記焦電センサの感度を高くすることを特徴とする請求項７に記載の照明システム。
【請求項９】
前記温度検知ユニットは、前記検出温度と閾値を比較し、比較結果に応じて前記点灯装置または前記外部機器を制御することを特徴とする請求項１から８の何れか１項に記載の照明システム。
【請求項１０】
前記温度検知ユニットは、外部から前記閾値が入力される設定装置を有することを特徴とする請求項９に記載の照明システム。
【請求項１１】
前記温度検知ユニットは、前記検出温度と、前記点灯装置または前記外部機器の設定値との対応関係を示すテーブルを記憶することを特徴とする請求項１から１０の何れか１項に記載の照明システム。
【請求項１２】
前記温度検知ユニットは、前記設定値が入力される設定装置を有することを特徴とする請求項１１に記載の照明システム。
【請求項１３】
前記温度検知ユニットは、時間帯または季節に応じて前記点灯装置または前記外部機器を制御することを特徴とする請求項１から１２の何れか１項に記載の照明システム。
【発明の詳細な説明】
【技術分野】
【０００１】
本発明は、照明システムに関する。
【背景技術】
【０００２】
特許文献１には、光源と、光源に電力を供給する点灯回路と、点灯回路を制御する制御回路と、熱センサとを備える点灯装置が開示されている。光源と熱センサとは実装基板に実装される。熱センサは光源の温度を検出する。制御回路は光源が温度異常状態であると判断すると、点灯回路の動作を停止する。これにより、制御回路は光源の破損を防止する。
【先行技術文献】
【特許文献】
【０００３】
【特許文献１】特許第６１１４９８８号公報
【発明の概要】
【発明が解決しようとする課題】
【０００４】
従来から、ＬＥＤ素子からなる光源に電力を供給して点灯させる照明器具がある。このような照明器具の構成は、例えば光源と光源を点灯制御する点灯装置である。一般に、点灯装置は周囲の温度または光源などの温度に関わらず一定の電力を光源に供給する。このため、なんらかの外的要因によって照明器具の温度が上昇した場合、点灯装置が一定の電力を光源に供給し続けると、ＬＥＤ素子または点灯装置の温度がさらに上昇する可能性がある。この結果、照明器具の効率低下または短寿命化に繋がる恐れがある。また、照明器具が故障に至る可能性がある。
【０００５】
特許文献１では、熱センサは、光源の近傍に配置される。このため、熱センサが検出できる温度はＬＥＤ素子の温度である。特許文献１の構成は、ＬＥＤ素子自体の故障および異常発熱を検出して保護する手段としては有効である。しかし、点灯回路の温度が上昇した場合に点灯回路の保護ができないという課題がある。特に、特許文献１では、点灯回路と熱センサとは別の筐体に収納されている。このため、熱センサが点灯回路の温度を検出することは難しい。
【０００６】
また、特許文献１の構成では、照明器具の周囲の温度の変化を検出して、光源を保護することができない。また、照明器具の周囲の温度の変化を検出して、外部機構を制御することができない。
【０００７】
本発明は、上述の課題を解決するためになされたもので、照明器具の周囲の温度を検出できる照明システムを得ることを目的とする。
【課題を解決するための手段】
【０００８】
本発明に係る照明システムは、光源と、該光源を点灯させる点灯装置と、該光源と該点灯装置を収納する筐体と、該筐体の外側に設けられた温度センサを有し、該温度センサの検出温度に応じて該点灯装置または外部機器を制御する温度検知ユニットと、を備える。
【発明の効果】
【０００９】
本発明に係る照明システムでは、光源と点灯装置を収納する筐体の外側に温度センサが設けられる。このため、照明器具の周囲の温度を検出できる。
【図面の簡単な説明】
【００１０】
【図１】実施の形態１に係る照明システムの正面図である。
【図２】実施の形態１に係る照明システムの回路ブロック図である。
【図３】実施の形態１の温度検知回路の設定テーブルである。
【図４】実施の形態１の温度検知ユニットのフローチャートである。
【図５】実施の形態２に係る照明システムの正面図である。
【図６】実施の形態２に係る照明システムの回路ブロック図である。
【図７】実施の形態２の温度検知回路の設定テーブルである。
【図８】実施の形態２の温度検知ユニットのフローチャートである。
【図９】実施の形態３に係る照明システムの正面図である。
【図１０】実施の形態３に係る照明システムの回路ブロック図である。
【図１１】実施の形態３の温度検知回路の設定テーブルである。
【図１２】実施の形態３の温度検知ユニットのフローチャートである。
【発明を実施するための形態】
【００１１】
本発明の実施の形態に係る照明システムについて図面を参照して説明する。同じ又は対応する構成要素には同じ符号を付し、説明の繰り返しを省略する場合がある。
【００１２】
実施の形態１．
図１は、実施の形態１に係る照明システム１００の正面図である。照明システム１００は、照明器具１１と温度検知ユニット１６を備える。照明器具１１は、光源１０と、光源１０を点灯させる点灯装置８と、光源１０を放熱する放熱フィン２１から構成される。光源１０、点灯装置８および放熱フィン２１は筐体３０に収納される。光源１０と点灯装置８は配線またはコネクタ等で接続される。
【００１３】
温度検知ユニット１６は、温度センサ１２の検出温度に応じて点灯装置８または外部機器を制御する。温度検知ユニット１６は、筐体３０の外壁に取り付けられる。温度検知ユニット１６は接続線２２によって点灯装置８と接続される。温度検知ユニット１６と点灯装置８は、制御信号の送受信を行う。また、温度検知ユニット１６は、点灯装置８から給電され動作する。
【００１４】
温度検知ユニット１６は後述する温度検知回路等が収納されたケース１６ａを備える。温度検知ユニット１６は、温度センサ１２と設定装置１５を備える。温度センサ１２と設定装置１５はケース１６ａから露出する。温度センサ１２と設定装置１５はケース１６ａの下面に設けられる。
【００１５】
温度センサ１２は、筐体３０の外側に設けられる。温度センサ１２は、熱雑音を抑制するため、発熱体である光源１０、点灯装置８および放熱フィン２１から５０ｍｍ以上離れている。また、光源１０、点灯装置８および放熱フィン２１のような発熱体の直上または直下には設けられない。このような配置により、温度センサ１２が受ける光源１０、放熱フィン２１及び点灯装置８のような個々の発熱体の温度の影響を抑制できる。つまり、温度センサ１２は、照明器具１１の周囲温度を検出できる。
【００１６】
光源１０、点灯装置８および放熱フィン２１の何れかの温度が上昇すると、照明器具１１の周囲温度は上昇する。このため、照明器具１１の周囲温度を検出することで、光源１０、点灯装置８および放熱フィン２１の温度の変化を検出できる。また、温度センサ１２は、筐体３０の温度を検出しても良い。光源１０、点灯装置８および放熱フィン２１の何れかの温度が上昇すると、筐体３０の温度が上昇する。このため、筐体３０の温度を検出することで、光源１０、点灯装置８および放熱フィン２１の温度の変化を検出できる。
【００１７】
設定装置１５は受光素子またはスイッチを有する。外部からの手動操作またはリモコン操作によって、設定装置１５から温度検知ユニット１６の制御方法を設定できる。
【００１８】
図２は、実施の形態１に係る照明システム１００の回路ブロック図である。光源１０は、直列に接続された複数のＬＥＤ素子９を備える。これに限らず、光源１０は１つ以上の発光素子を備えれば良い。
【００１９】
点灯装置８は、例えばＬＥＤ素子９に供給される電流を予め定めた一定の電流に保つ等、所定の電力が得られるように電源１の電圧を直流電流に変換し、光源１０に供給する。点灯装置８は、例えば、ダイオード、トランジスタなどの半導体素子と、インダクタ、コイル、抵抗などの受動部品とをプリント基板上に実装したものである。点灯装置８は、ノイズフィルタ回路２、整流回路３、ＰＦＣ（Ｐｏｗｅｒ  Ｆａｃｔｏｒ  Ｃｏｒｒｅｃｔｉｏｎ）回路４、電源生成回路５、負荷回路６、制御回路７を備える。
【００２０】
ノイズフィルタ回路２は、電源１の電圧のノイズ除去を行う。電源１は例えば商用の交流電源である。整流回路３は、電源１の電圧を整流する。ＰＦＣ回路４は、電源１の電圧波形に沿ってスイッチングを行う。これによりＰＦＣ回路４は、電源１の電圧を予め定められた直流電圧に昇圧する。またＰＦＣ回路４は、電源１の電圧を整流して力率を改善し、高調波を抑制する。負荷回路６はＰＦＣ回路４で昇圧された直流電圧を、適正な電力で制御して光源１０に電流を供給する。
【００２１】
電源生成回路５は、照明器具１１の外部機器および制御回路７に対して、直流電圧を供給する。外部機器は温度検知ユニット１６等である。制御回路７は、照明器具１１の外部機器からの指令または予め制御回路７の内部に設定された指令に従い、ＰＦＣ回路４および負荷回路６などを制御する。制御回路７は、例えば光源１０に供給される電流が目標値と一致するように、ＰＦＣ回路４および負荷回路６が備えるスイッチング素子のオンオフを制御する。
【００２２】
温度検知ユニット１６は、照明器具１１の周囲温度を検出して、外部に検出した照明器具１１の周囲温度に対応した信号を送信する。温度検知ユニット１６は、温度センサ１２、検知素子１３、温度検知回路１４および設定装置１５を備える。温度検知ユニット１６は、電源生成回路５から直流電圧を給電され動作する。
【００２３】
温度センサ１２の一端は、電源生成回路５の出力に接続される。温度センサ１２の他端は、検知素子１３の一端に接続される。検知素子１３の他端は、接地用端子に接続される。温度検知ユニット１６の接地用端子は、点灯装置８の基準電位に接続される。温度センサ１２と検知素子１３の接続点は、温度検知回路１４に接続される。温度検知回路１４は、設定装置１５および制御回路７と接続されている。
【００２４】
温度センサ１２は温度を検出することが可能な素子である。温度センサ１２として、例えば温度によって抵抗値が変化するサーミスタを用いる。検知素子１３は、温度センサ１２の状態を電圧に変換して検出できる抵抗である。温度センサ１２に負特性のサーミスタを用いた場合、周囲温度が高くなると抵抗値が下降し、周囲温度が低くなると抵抗値が上昇する。温度センサ１２と検知素子１３から構成される直列回路の両端には、定電圧である電源生成回路５の出力電圧が印加される。従って、周囲温度が高くなると検知素子１３の電圧が上昇し、周囲温度が低くなると検知素子１３の電圧が下降する。
【００２５】
温度検知回路１４は、検知素子１３の電圧の変化を検出する。これにより、温度検知回路１４は、照明器具１１の周囲温度を検出できる。温度検知回路１４は、例えばマイコン等の制御装置から構成されても良い。温度検知回路１４は、不揮発性メモリ等の記憶部を有する。温度検知回路１４は記憶部に閾値を記憶している。また、温度検知回路１４は検知素子１３の電圧と閾値とを比較する比較部を有する。温度検知回路１４は、検出温度に対応する検知素子１３の電圧と閾値とを比較する。これにより、温度検知回路１４は、検知素子１３の電圧が設定された閾値に対して高いか低いかを常に監視している。
【００２６】
温度検知回路１４は、検出温度と閾値との比較結果に応じて点灯装置８または外部機器を制御する。本実施の形態では、温度検知回路１４は比較結果に応じて点灯装置８を制御して、光源１０の調光率を制御する。つまり、温度検知回路１４は閾値に対する検知素子１３の電圧変化に応じて制御回路７へ信号を送信し、光源１０の点灯状態を制御する。設定装置１５には、外部から閾値が入力される。閾値の数および閾値の電圧レベルは、設定装置１５を介して温度検知回路１４に自由に設定できる。
【００２７】
図３は、実施の形態１の温度検知回路１４の設定テーブルである。温度検知回路１４は、検出温度と点灯装置８または外部機器の設定値との対応関係を示すテーブルを記憶部に記憶する。本実施の形態において点灯装置８の設定値は、光源１０の調光率である。設定テーブルは、周囲温度と調光率データを紐付けている。温度検知回路１４は、周囲温度に対して紐付けられた調光率の信号を、点灯装置８に送信する。温度検知回路１４は調光率を、点灯装置８を制御可能な信号に変換して点灯装置８に送信する。これにより、光源１０を周囲温度に応じた調光率で点灯させることができる。
【００２８】
温度検知回路１４は、周囲温度が４０℃未満の場合、光源１０を全光状態にする。また、温度検知回路１４は、周囲温度が高いほど光源１０の調光率を低下させる。さらに温度検知回路１４は、周囲温度が異常温度であると判別すると、光源１０を消灯させる。本実施の形態では、周囲温度が７０℃以上の場合に、温度検知回路１４は光源１０を消灯させる。これにより、異常な高温状態から照明器具１１を保護できる。
【００２９】
設定テーブルは図３に示される周囲温度範囲に限らず、例えばマイナス温度などが設定されても良い。また、周囲温度の判別後の動作については、調光率の制御以外に、点滅動作または保護動作が設定されても良い。例えば、周囲温度が異常温度である場合に、温度検知回路１４は光源１０を点滅させても良い。設定テーブルは、設定装置１５を介して外部から自由に設定できる。従って使用者は、温度検知回路１４が周囲温度を判別した後の動作を自由に設定できる。
【００３０】
図４は、実施の形態１の温度検知ユニット１６のフローチャートである。温度検知回路１４は、図３に示される設定テーブルを用いて、図４に示されるフローチャートに示されるように動作する。温度検知ユニット１６は、点灯装置８から電圧が給電されると、周囲温度の取得を開始する。温度検知回路１４は、周囲温度を予め定められたサンプリング時間で取得する。
【００３１】
温度検知回路１４は、検出された周囲温度に応じた調光率を判別する。また、温度検知回路１４はタイマーを備える。温度検知回路１４は、点灯開始直後の短時間の温度のゆらぎによって調光率が変化しないように、予め定められた設定時間が経過してから調光率の判別を行う。つまり、温度検知回路１４は、設定時間の間、検出温度と閾値との比較結果が維持された場合に、調光率の判別を行う。
【００３２】
温度検知回路１４は、判別された調光率を制御回路７に送信する。これにより、周囲温度に応じた調光率で光源１０が点灯する。温度検知回路１４は調光率の判別後、一定時間この調光率を保持する。一定時間の経過後、温度検知回路１４は、現在の周囲温度に応じて再度調光率の判別を行う。温度検知回路１４は予め定められた周期毎に調光率の判別を行う。なお、図４では、図３に示される周囲温度が７０℃以上の場合の動作が省略されている。
【００３３】
また、温度検知回路１４はタイマーを使用することにより、時間帯または季節に応じて、点灯装置８または外部機器を制御しても良い。例えば温度検知回路１４は、予め設定された時間になると調光率を指定値に設定しても良い。図４に示される例では、周囲温度が４０℃未満の場合、温度検知回路１４は調光率を１００％に設定するが、１２時になると調光率を２５％に低下させる。また、例えば気温が高い季節では、気温が低い季節よりも調光率を低く設定しても良い。
【００３４】
図４に示される温度検知回路１４の動作および各パラメータは一例である。温度検知回路１４の制御動作は、設定装置１５を介して外部から自由に設定できる。
【００３５】
上記の動作により、照明器具１１の周囲温度が何らかの要因で高くなった場合、点灯装置８および光源１０などの発熱体を安全に保護できる。つまり、本実施の形態では、光源１０だけではなく点灯装置８も高温から保護できる。これにより、照明器具１１全体の効率低下および短寿命化を抑制できる。
【００３６】
また、本実施の形態では温度検知ユニット１６を接続線２２によって点灯装置８と接続することで、照明器具１１に周囲温度の検出機能を追加できる。従って、容易に照明器具１１の周囲の温度を検出できる。また、温度検知ユニット１６を備えない照明システムと、照明システム１００との間で、照明器具１１を共通化できる。
【００３７】
また、温度検知ユニット１６は、筐体３０の外壁に限らず、照明器具１１の周囲温度を検出できる位置に配置されれば良い。例えば、温度検知ユニット１６は、筐体３０から離れていても良い。また、少なくとも温度センサ１２が照明器具１１の周囲温度を検出できる位置に配置されれば良い。例えば、温度センサ１２は筐体３０の外側に設けられ、温度検知回路１４は筐体３０の内部に設けられても良い。
【００３８】
これらの変形は以下の実施の形態に係る照明システムについて適宜応用することができる。なお、以下の実施の形態に係る照明システムについては実施の形態１との共通点が多いので、実施の形態１との相違点を中心に説明する。
【００３９】
実施の形態２．
図５は、実施の形態２に係る照明システム２００の正面図である。照明システム２００は、送風機２１７を備える点が実施の形態１と異なる。送風機２１７は、送風により光源１０、放熱フィン２１および点灯装置８を放熱させる。送風機２１７は、接続線２２で温度検知ユニット１６と接続される。他の構成は、実施の形態１と同様である。温度検知ユニット１６と送風機２１７は、接続線２２を介して制御信号の送受信を行う。
【００４０】
送風機２１７は、光源１０、放熱フィン２１及び点灯装置８のような発熱体の付近に設けられる。例えば送風機２１７は、点灯装置８と放熱フィン２１との間に設けられる。送風機２１７は、点灯装置８と接触して設けられても良い。
【００４１】
図６は、実施の形態２に係る照明システム２００の回路ブロック図である。温度検知回路１４は、検出温度に応じて送風機２１７の回転速度を制御する。温度検知回路１４は、照明器具１１の周囲温度が高いほど送風機２１７の回転速度を早くする。また、照明システム２００が複数の送風機２１７を備える場合、温度検知回路１４は検出温度に応じて複数の送風機２１７の稼働数を制御しても良い。温度検知回路１４は、周囲温度が高いほど複数の送風機２１７の稼働数を増加させる。
【００４２】
図７は、実施の形態２の温度検知回路１４の設定テーブルである。温度検知回路１４は、周囲温度と送風機２１７の回転数および稼働数との対応関係を示すテーブルを、記憶部に記憶する。温度検知回路１４は、周囲温度に対して紐付けられた回転数および稼働数の信号を、点灯装置８に送信する。温度検知回路１４は回転数および稼働数を、送風機２１７を制御可能な信号に変換して送風機２１７に送信する。これにより、送風機２１７を周囲温度に応じた回転数および稼働数で動作させることができる。
【００４３】
以下では、照明システム２００が複数の送風機２１７を備える場合について説明する。温度検知回路１４は、周囲温度が４０℃未満の場合、複数の送風機２１７を動作させない。また、周囲温度が４０℃〜７０℃の範囲において、温度検知回路１４は複数の送風機２１７のうち一台を稼働させ、周囲温度が高いほど送風機２１７の回転数を大きくする。さらに温度検知回路１４は、周囲温度が７０℃以上の場合に、稼働数を二台にする。これにより、点灯装置８および光源１０などの発熱体を周囲温度に応じて冷却できる。
【００４４】
周囲温度の判別後の動作については、送風機２１７の稼働数または回転数の制御に加えて、他の制御を行っても良い。例えば、温度検知回路１４は実施の形態１の制御と組み合わせて、点灯装置８に消灯信号等を送信しても良い。
【００４５】
図８は、実施の形態２の温度検知ユニット１６のフローチャートである。温度検知回路１４が周囲温度を取得するまでの動作は、実施の形態１と同様である。温度検知回路１４は、設定テーブルを用いて周囲温度に応じた送風機２１７の回転数および稼働数を判別する。温度検知回路１４は、短時間の温度のゆらぎによって送風機２１７の動作が変化しないように、予め定められた設定時間が経過してから回転数および稼働数の判別を行う。
【００４６】
温度検知回路１４は、判別された回転数および稼働数を送風機２１７に送信する。これにより、周囲温度に応じた回転数および稼働数で送風機２１７が動作する。なお、図８では、図７に示される周囲温度が７０℃以上の場合の動作が省略されている。上記の動作により、周囲温度が何らかの要因で高くなった場合に、点灯装置８および光源１０などの発熱体を冷却し、安全動作させることができる。
【００４７】
実施の形態３．
図９は、実施の形態３に係る照明システム３００の正面図である。照明システム３００は、センサユニット３２０を備える点が実施の形態１と異なる。センサユニット３２０は、接続線２２で温度検知ユニット１６および点灯装置８と接続される。他の構成は、実施の形態１と同様である。センサユニット３２０は、温度検知ユニット１６および点灯装置８と、接続線２２を介して制御信号の送受信を行う。
【００４８】
センサユニット３２０は、焦電センサ３１９を有する。焦電センサ３１９は、人の在、不在を検出する。焦電センサ３１９は人感センサとも呼ばれる。焦電センサ３１９は、赤外線を検出して検出信号を発する。センサユニット３２０は、人の在、不在を示す焦電センサ３１９の検出信号に応じて、外部に信号を送ることで外部機器を制御する。本実施の形態では、センサユニット３２０は、焦電センサ３１９の検出信号に応じて点灯装置８を制御する。センサユニット３２０は、複数の焦電センサ３１９を有しても良い。
【００４９】
焦電センサ３１９は、人の在、不在を十分に判定できるよう、遮蔽物のない箇所に配置されることが好ましい。本実施の形態では、センサユニット３２０は筐体３０の外壁に取り付けられる。焦電センサ３１９は、センサユニット３２０のケース３２０ａの下面に、検出エリアが下方を向くように設けられる。また、センサユニット３２０は、温度検知ユニット１６の直下に設けられる。
【００５０】
焦電センサ３１９は人の在、不在による変化を検出すると電圧を出力し、人の在または不在の継続を検出すると電圧の出力を停止する。焦電センサ３１９が出力する電圧のレベルは、焦電センサ３１９の種類または周囲温度など様々な要因により変化する。
【００５１】
図１０は、実施の形態３に係る照明システム３００の回路ブロック図である。センサユニット３２０は、焦電センサ３１９と、センサ制御回路３１８とを備える。センサ制御回路３１８は、焦電センサ３１９の出力電圧の変化を検出し、人の在、不在を判別する。
【００５２】
センサ制御回路３１８は例えばマイコン等の制御装置から構成されても良い。センサ制御回路３１８は、不揮発性メモリ等の記憶部を有する。センサ制御回路３１８は、検出閾値を記憶している。また、センサ制御回路３１８は焦電センサ３１９の出力電圧と検出閾値を比較する比較部を有する。センサ制御回路３１８は、焦電センサ３１９の出力電圧が検出閾値に対して高いか低いかを常に監視している。
【００５３】
センサ制御回路３１８は、焦電センサ３１９の出力電圧と検出閾値との比較結果に応じて、制御回路７へ信号を送る。これにより、センサ制御回路３１８は、光源１０の点灯状態を制御する。例えば、センサ制御回路３１８は、焦電センサ３１９の出力電圧が検出閾値を超えたとき、人がいる状態と判断する。このとき、センサ制御回路３１８は、光源１０を点灯制御するように制御回路７に信号を送る。また、センサ制御回路３１８は、焦電センサ３１９の出力電圧が検出閾値を下回ったとき、人がいない状態と判断する。このとき、センサ制御回路３１８は、光源１０を消灯制御するように制御回路７に信号を送る。なお、センサ制御回路３１８の検出閾値の数および電圧レベルは、外部から自由に設定できる。
【００５４】
温度検知回路１４は、検出温度に応じてセンサ制御回路３１８へ信号を送る。これにより、温度検知回路１４は、センサ制御回路３１８の人の在、不在の判別基準となる検出閾値を設定する。焦電センサ３１９の感度は、センサ制御回路３１８の検出閾値が大きいと低くなり、検出閾値が小さいと高くなる。つまり、温度検知ユニット１６は、検出温度に応じて焦電センサ３１９の感度を変更する。温度検知ユニット１６は、検出温度が人の体温に近いほど、焦電センサ３１９の感度を高くしても良い。
【００５５】
図１１は、実施の形態３の温度検知回路１４の設定テーブルである。温度検知回路１４は、周囲温度と焦電センサ３１９の感度との対応関係を示すテーブルを記憶部に記憶する。温度検知回路１４は、周囲温度に対して紐付けられた焦電センサ３１９の感度の信号を、センサ制御回路３１８に送信する。温度検知回路１４は焦電センサ３１９の感度を、センサ制御回路３１８を制御可能な信号に変換して送信する。センサ制御回路３１８は、温度検知回路１４から送信された信号に応じて、検出閾値を変更して焦電センサ３１９の感度を変更する。これにより、焦電センサ３１９を周囲温度に応じた感度に設定できる。
【００５６】
温度検知回路１４は、周囲温度が４０℃未満の場合、焦電センサ３１９の感度を中レベルに設定する。また、温度検知回路１４は、周囲温度が４０℃〜５０℃の場合、焦電センサ３１９の感度を高レベルに設定する。また、温度検知回路１４は、周囲温度が５０℃〜７０℃の場合、焦電センサ３１９の感度を中レベルに設定する。さらに、温度検知回路１４は、周囲温度が７０℃以上の場合、焦電センサ３１９の感度を低レベルに設定する。これにより、例えば、人の体温と周囲温度が近い温度領域では、焦電センサ３１９の感度を高めることで、人の在、不在を正確に検出できる。
【００５７】
周囲温度の判別後の動作については、焦電センサ３１９の感度の制御に加えて、他の制御を行っても良い。例えば、温度検知回路１４は実施の形態１の制御と組み合わせて、点灯装置８に光源１０の調光率データを送信しても良い。
【００５８】
図１２は、実施の形態３の温度検知ユニット１６のフローチャートである。ここでは、温度検知回路１４は、周囲温度が１５℃、２５℃、４０℃、５０℃、６０℃の場合に対応する閾値を記憶しているものとする。温度検知回路１４が周囲温度を取得するまでの動作は、実施の形態１と同様である。温度検知回路１４は、周囲温度が１５℃未満の場合、検出閾値を大きく、つまり、感度を低く設定する。温度検知回路１４は、周囲温度が１５℃〜２５℃の場合、検出閾値を中レベルに設定する。温度検知回路１４は、周囲温度が２５℃以上の場合、検出閾値を小さく、つまり、感度を高く設定する。
【００５９】
次に、センサユニット３２０が人の在、不在の変化を検出したとする。これに応じて、センサユニット３２０は、光源１０を点灯させるように、点灯装置８に信号を送信する。センサユニット３２０が人を検出した状態において、温度検知ユニット１６は、実施の形態１と同様に周囲温度に応じて光源１０の調光率を制御する。また、温度検知ユニット１６は調光率の制御とともに、焦電センサ３１９の感度を制御しても良い。なお、温度検知回路１４は、短時間の温度のゆらぎによってセンサ制御回路３１８の検出閾値が変化しないように、予め定められた設定時間が経過してから検出閾値の判別を行う。
【００６０】
本実施の形態では、照明器具１１の周囲温度が上昇した場合でも、焦電センサ３１９の検知精度を維持できる。また、温度センサ１２と焦電センサ３１９を近接させることで、温度センサ１２により焦電センサ３１９の周囲の温度を正確に検出できる。これにより、温度検知ユニット１６は、焦電センサ３１９の感度を周囲温度に応じて適切に制御できる。
【００６１】
センサユニット３２０は、筐体３０の外壁に限らず、人の在、不在を検出できる位置に配置されれば良い。なお、各実施の形態で説明した技術的特徴は適宜に組み合わせて用いてもよい。
【符号の説明】
【００６２】
１  電源、２  ノイズフィルタ回路、３  整流回路、４  ＰＦＣ回路、５  電源生成回路、６  負荷回路、７  制御回路、８  点灯装置、９  ＬＥＤ素子、１０  光源、１１  照明器具、１２  温度センサ、１３  検知素子、１４  温度検知回路、１５  設定装置、１６  温度検知ユニット、２１７  送風機、３１８  センサ制御回路、３１９  焦電センサ、３２０  センサユニット、２１  放熱フィン、２２  接続線、３０  筐体、１００、２００、３００  照明システム
【図１】
2019216075.tif 000003
【図２】
2019216075.tif 000004
【図３】
2019216075.tif 000005
【図４】
2019216075.tif 000006
【図５】
2019216075.tif 000007
【図６】
2019216075.tif 000008
【図７】
2019216075.tif 000009
【図８】
2019216075.tif 000010
【図９】
2019216075.tif 000011
【図１０】
2019216075.tif 000012
【図１１】
2019216075.tif 000013
【図１２】
2019216075.tif 000014